(57)【要約】【課題】容器本体内に装着されてその内部空間を多層状に区画する仕切り部材の剛性を高め、これによって、前記形成される多層状の空間の形状変化を抑制する。【解決手段】  容器本体２と、この容器本体内の空間を複層空間に区画する仕切り部材とからなる包装容器１であって、容器本体が略平行な表面部２ａおよび裏面部２ｂと、これらの表裏面部の側部に折り線Ｂを介して連設され、容器本体を略矩形状の筒体とする複数の側面部２ｃと、各開口を開閉可能に閉塞する蓋部２ｅと、表裏面部と略平行に配置される仕切り部２ｆと、この仕切り部を表面部若しくは前記裏面部に連結する連結部２ｄからなり、表面部、裏面部、側面部、連結部、および、仕切り部を各折り線によって折り込むことにより、仕切り部と連結部を取り囲んで前記略矩形状の筒体を構成する。【選択図】図１
2020019545.tif 000002
【特許請求の範囲】
【請求項１】
箱形の容器本体と、この容器本体内に装着されてこの容器本体内の空間を複層空間に区画する仕切り部材とからなる包装容器であって、前記容器本体が略平行な表面部および裏面部と、これらの表裏面部の側部に折り線を介して連設され、前記容器本体を両端部が開口された略矩形状の筒体とする複数の側面部と、前記各開口を開閉可能に閉塞する蓋部と、前記表面部と前記裏面部との間に、これらと略平行に配置されて前記容器本体内の空間を分割する仕切り部と、この仕切り部を、折り線を介して前記表面部若しくは前記裏面部に連結する連結部からなり、前記表面部、前記裏面部、前記側面部、前記連結部、および、前記仕切り部を前記各折り線によって折り込むことにより、前記仕切り部と前記連結部を、前記表面部、前記裏面部、および、前記側面部によって取り囲んで前記略矩形状の筒体を構成し、かつ、前記仕切り部を前記表面部と前記裏面部との間に保持してなることを特徴とする包装容器。
【請求項２】
前記仕切り部材が、前記表裏面部と略平行に配置される複数の仕切り板と、これらの仕切り板に連設され、これらの仕切り板を所定間隔に保持して前記複層空間を形成する複数の間隔保持板とからなり、前記仕切り板と前記間隔保持板とが折り線を介して交互に連結され、前記仕切り部材が、前記折り線において折り込まれることにより、一つの前記仕切り板を前記他の間隔保持板および他の前記仕切り板によって取り囲んで構成され、前記容器本体の前記表面部と前記仕切り部との間、若しくは、前記裏面部と前記仕切り部との間に挿入されていることを特徴とする請求項１に記載の包装容器。
【請求項３】
前記容器本体の表裏面部の少なくとも一方に、前記仕切り板を露出させる窓が形成されていることを特徴とする請求項１または請求項２に記載の包装容器。
【請求項４】
前記窓が形成されている前記表裏面部に、前記窓を覆う透明フィルムが装着されていることを特徴とする請求項３に記載の包装容器。
【請求項５】
前記表裏部の前記窓が形成された部位に、一部に不連続部を残した切れ目によって、前記窓を開閉する扉が連設されていることを特徴とする請求項３または請求項４に記載の包装容器。
【請求項６】
前記仕切り部や前記仕切り板に、これらの切り部や仕切り板を切り抜くことによって形成された飾りが設けられていることを特徴とする請求項２ないし請求項５の何れかに記載の包装容器。
【発明の詳細な説明】
【技術分野】
【０００１】
本発明は、包装容器に係わり、特に、内部空間を多層状に区画して用途を多様化することの可能な包装容器に関する。
【背景技術】
【０００２】
従来、たとえば特許文献１に示されるように、用途の多様化等を目的として、内部を多層状に区画した包装容器が知られている。
【０００３】
この包装容器は、角筒型の本体部と、該本体部の開口部に連成された開閉自在な蓋部からなる包装箱において、上記本体部の前面板に、窓部が形成され、窓付前面板の内側に小間隔を存して目隠し用面板が設けられ、該目隠し用面板の前面に、適宜の図柄の意匠部が形成された構成としたもので、前記目隠し用面板によって前記箱体内部を多層に区画している。
【０００４】
そして、前記目隠し用面板は、その両側縁部を折り曲げることによって形成された一対の係止板を、前記目隠し用面板の両側部に位置する前記本体部の両側内面に当接させることによって前記本体部の内部に係止されており、このような係止状態において前記本体部の内部空間を多層状に区画している。
【０００５】
また、前記係止板は、前記本体部の空間の、隣接する一対の角部に当接する形状に形成されてその動きが拘束されており、これによって前記目隠し用面板を、前記本体部の内部空間の所定位置に保持するようにしている。
【先行技術文献】
【特許文献】
【０００６】
【特許文献１】実開昭６１−９１５１５号公報
【発明の概要】
【発明が解決しようとする課題】
【０００７】
ところで、前述した従来の包装容器では、前記目隠し用面板を、その両側を折り曲げて形成した係止板を、前記本体部の内部空間を形成する対向面に当接させることによって前記本体部の内部空間の所定位置に係止するようにしている。
【０００８】
しかしながら、このような係止状態において、前記係止板は前記本体部の内面に当接させられているのみであるから、その離間方向への相対移動を拘束することができない。
【０００９】
このために、前記目隠し用面板の、その面と直交する撓み方向の変形を拘束することができず、この目隠し用面板の形状が崩れやすい。
【００１０】
そして、前記目隠し用面板が変形すると、この目隠し用面板によって区画された多層状の空間形状も変形するために、これらの空間への物品の収納作業が繁雑になる。
【００１１】
このような不具合を解消するためには、前記目隠し用面板を厚みのある、もしくは、硬めの材料によって形成することが要求される。
【００１２】
この結果、包装容器の制作に際し、使用可能な材料の選択の自由度が狭められてしまうといった問題点が生じることが想定される。
【００１３】
本発明は、前述した従来の問題点に鑑みなされたもので、容器本体の内部空間を仕切り板によって多層状に区画した包装容器において、前記仕切り板の変形を極力防止することの可能な包装容器を提供することを解決すべき課題とする。
【課題を解決するための手段】
【００１４】
本発明の包装容器は、前述した課題を解決するために、箱形の容器本体と、この容器本体内に装着されてこの容器本体内の空間を複層空間に区画する仕切り部材とからなる包装容器であって、前記容器本体が略平行な表面部および裏面部と、これらの表裏面部の側部に折り線を介して連設され、前記容器本体を両端部が開口された略矩形状の筒体とする複数の側面部と、前記各開口を開閉可能に閉塞する蓋部と、前記表面部と前記裏面部との間に、これらと略平行に配置されて前記容器本体内の空間を分割する仕切り部と、この仕切り部を、折り線を介して前記表面部若しくは前記裏面部に連結する連結部からなり、前記表面部、前記裏面部、前記側面部、前記連結部、および、前記仕切り部を前記各折り線によって折り込むことにより、前記仕切り部と前記連結部を、前記表面部、前記裏面部、および、前記側面部によって取り囲んで前記略矩形状の筒体を構成し、かつ、前記仕切り部を前記表面部と前記裏面部との間に保持してなることを特徴としている。
【００１５】
本発明によれば、前記容器本体を、前記仕切り部と前記連結部を、前記表面部、前記裏面部、および、前記側面部によって取り囲んで前記略矩形状の筒体とすることにより、前記容器本体の内部空間を複数の分割空間に画成することができる。
【００１６】
また、前記仕切り部と前記連結部によって、対峙して位置させられている前記側面部の一対をその中間部において連結した構成とすることができる。
【００１７】
これによって、前記各側面部の撓みによる変形を抑制することができるとともに、これらの側面部によって、前記表裏面の両側縁間の距離を保持することにより、これら表裏面部の撓みによる変形も抑制することができる。
この結果、変形の少ない包装容器を得ることができる。
【００１８】
前記仕切り部材は、前記表裏面部と略平行に配置される複数の仕切り板と、これらの仕切り板に連設され、これらの仕切り板を所定間隔に保持して前記複層空間を形成する複数の間隔保持板とからなり、前記仕切り板と前記間隔保持板とが折り線を介して交互に連結され、前記仕切り部材が、前記折り線において折り込まれることにより、一つの前記仕切り板を前記他の間隔保持板および他の前記仕切り板によって取り囲んで構成され、前記容器本体の前記表面部と前記仕切り部との間、若しくは、前記裏面部と前記仕切り部との間に挿入される構成とすることができる。
【００１９】
このように構成される仕切り部材は、一つの仕切り板を他の間隔保持板および他の仕切り板によって取り囲まれて、断面視において矩形状の剛な構造に組み上げられ、この結果、前記仕切り板の、その面と直交する方向の撓みに対する拘束力を高めてその変形を抑制することができる。
【００２０】
さらに、前記仕切り部材を前記容器本体内に挿入することにより、この容器本体をその内部から支持することにより、前記容器本体の剛性を高めることができる。
【００２１】
また、前記仕切り部材自体の変形が抑制されていることにより、前記仕切り部材によって区画形成される多層状の各空間の形状が崩れることを防止して、これらの空間部への物品の出し入れの容易性ならびに確実性を確保することができる。
【００２２】
さらに、前記仕切り部材が剛な構造に組み上げられていることにより、この仕切り部材を容器本体内に組み込む際に、前記仕切り部材の形崩れが抑制される。
これによって、前記仕切り部材の組み込み作業を容易なものとすることができる。
【００２３】
前記容器本体の表裏面部の少なくとも一方に、前記仕切り板を露出させる窓を形成することができる。
【００２４】
このような構成とすると、前記仕切り板に、図柄や写真、あるいは、切り抜き等によって装飾を施しておくことにより、この装飾を、前記容器本体の外部から前記窓を介して視認することができ、包装用容器の視覚的な機能を高めることができる。
【００２５】
ここで、前記仕切り部材の剛性を高めて前記仕切り板の変形が抑制されていることにより、この仕切り板に施されている装飾の変化も抑制され、その意匠的効果を維持することができる。
【００２６】
そして、前記窓は、透明フィルムによって覆うことが好ましい。
このような構成とすることにより、前記窓のよる意匠的効果を維持しつつ、異物等が前記容器本体の内部へ侵入することを防止することができる。
【００２７】
また、前記表裏面部の前記窓が形成された部位に、一部に不連続部を残して切れ目を入れて前記窓を開閉する扉を形成することもできる。
【００２８】
これによって、前記扉の開閉動作による動的機能を容器本体に付与して、包装容器の付加価値を高めることができる。
【００２９】
さらに、前記仕切り部や前記仕切り板に、これらの仕切り部や仕切り板を切り抜くことによって装飾空間を形成することもできる。
これによって、複数の装飾空間を多層状に立体感をもって視認することができ、その意匠的な効果をさらに高めることができる。
【発明の効果】
【００３０】
本発明の包装容器によれば、容器本体内に装着されてその内部空間を多層状に区画する仕切り部材の剛性を高め、これによって、前記形成される多層状の空間の形状変化を抑制することができる。
【図面の簡単な説明】
【００３１】
【図１】本発明の第１の実施形態を示す外観斜視図である。
【図２】本発明の第１の実施形態を示すもので、図１のII−II線に沿った拡大断面図である。
【図３】本発明の第１の実施形態を示すもので、容器本体の展開図である。
【図４】本発明の第１の実施形態を示すもので、仕切り部材の展開図である。
【図５】本発明の第１の実施形態を示すもので、容器本体を展開した状態の斜視図である。
【図６】本発明の第１の実施形態を示すもので、容器本体の組み立て手順を示す外観斜視図である。
【図７】本発明の第１の実施形態を示すもので、容器本体の組み立て手順を示す外観斜視図である。
【図８】本発明の第１の実施形態を示すもので、容器本体の組み立て手順を示す外観斜視図である。
【図９】本発明の第１の実施形態を示すもので、容器本体の組み立て手順を示す外観斜視図である。
【図１０】本発明の第１の実施形態を示すもので、容器本体の組み立て手順を示す外観斜視図である。
【図１１】本発明の第１の実施形態を示すもので、仕切り部材の組み立て手順を示す外観斜視図である。
【図１２】本発明の第１の実施形態を示すもので、仕切り部材の組み立て手順を示す外観斜視図である。
【図１３】本発明の第１の実施形態を示すもので、仕切り部材の組み立て手順を示す外観斜視図である。
【図１４】本発明の第１の実施形態を示すもので、包装容器の組み立て手順を示す外観斜視図である。
【図１５】本発明の第２の実施形態を示す正面図である。
【図１６】本発明の第３の実施形態を示す正面図である。
【図１７】本発明の第４の実施形態を示す容器本体の展開図である。
【図１８】本発明の第４の実施形態を示す容器本体の展開図である。
【図１９】本発明の第４の実施形態を示す正面図である。
【発明を実施するための形態】
【００３２】
以下、本発明の第１の実施形態について、図１ないし図１４を参照して説明する。
図１において、符号１は本実施形態の包装容器を示す。
【００３３】
この包装容器１は、箱形の容器本体２と、この容器本体２内に装着されてこの容器本体２内の空間Ｇを複層の空間（Ｇ１・Ｇ２・Ｇ３）に区画する仕切り部材３とからなり、前記容器本体２が略平行な一対の表裏面部２ａ・２ｂと、これらの表裏面部２ａ・２ｂの両側部に連設されて両端部（図中の上下端）が開口（Ｚ）された略矩形状の筒体を形成する側面部２ｃと連結部２ｄと、前記各開口Ｚを開閉可能に閉塞する蓋部２ｅと、前記表面部２ａと前記裏面部２ｂとの間に、これらと略平行に配置されて前記容器本体２内の空間を分割する仕切り部２ｆとを備えている。
【００３４】
図３に示すように、前記連結部２ｄは、一対の平行な折り線Ｂ１を介して、前記仕切り部２ｆと前記裏面部２ｂとに連結されている。
また、前記側面部２ｃは、一対の平行な折り線Ｂ２を介して、前記裏面部２ｂと前記表面部２ａとに連結されている。
【００３５】
前記表面部２ａの、前記側面部２ｃが連設された縁部と反対側の縁部には、折り線Ｂ３を介して接続部２ｇが連設されている。
【００３６】
前記仕切り部２ｆの、前記連結部２ｄが連設された縁部と反対側の縁部には、折り線Ｂ４を介してのり付け部２ｈが連設されている。
【００３７】
前記裏面部２ｂの、前記折り線Ｂ１・Ｂ２が設けられている縁部と直交する一対の縁部に、それぞれ折り線Ｂ５を介して前記蓋部２ｅが連設されている。
【００３８】
このように構成された前記容器本体２は、図５ないし図１０に順を追って示すように、前記前記表面部２ａ、前記裏面部２ｂ、前記側面部２ｃ、前記連結部２ｄ、および、前記仕切り部２ｆを、各折り線Ｂ１・Ｂ２・Ｂ３・Ｂ４において山折りすることにより、前記仕切り部２ｆと前記連結部２ｄを、前記表面部２ａ、前記裏面部２ｂ、および、前記側面部２ｃによって取り囲んで断面略矩形の筒状の容器本体２を構成する。
【００３９】
そして、前記のり付け部２ｈを前記側面部２ｃの裏面にのり付けし、また、前記接続部２ｇを前記連結部２ｄの表面にのり付けすることによって固定する。
これによって、前記前記仕切り部２ｆが、前記表面部２ａと前記裏面部２ｂとの間に保持された構成となされる。
【００４０】
ついで、図１０に示すように、前記各蓋部２ｅを折り線Ｂ５において山折りすることにより、前記それぞれの開口Ｚを閉じることによって前記容器本体２の単体を組み上げることができる。
【００４１】
前記仕切り部材３は、図４に示すように、前記表裏面部２ａ・２ｂと略平行に配置される複数の仕切り板４・５・６と、これらの仕切り板４・５・６に連設され、これらの仕切り板４・５・６を所定間隔で略平行に保持する複数の間隔保持板７・８とを備えている。
【００４２】
前記仕切り板４は、折り線Ｂ６を介して前記間隔保持板７へ連設され、また、この間隔保持板７と反対側には、折り線Ｂ７を介してのり付け片９が連設されている。
【００４３】
前記間隔保持板７には折り線Ｂ７を介して前記仕切り板５が連設されている。
この仕切り板５の前記折り線Ｂ７と直交する平行な一対の縁部には、折り線Ｂ８を介して蓋片１０が連設されている。
【００４４】
また、前記仕切り板５の、前記間隔保持板７が連設された縁部と反対側の縁部には、折り線Ｂ９を介して前記間隔保持板８が連設されている。
【００４５】
前記間隔保持板８の、前記仕切り板５が連設された縁部と反対側の縁部には、折り線Ｂ１０を介して前記仕切り板６が連設されている。
【００４６】
前記仕切り板６の、前記間隔保持板８が連設されている縁部と反対側の縁部には、折り線Ｂ１１を介してのり付け片１１が連設されている。
【００４７】
このような本実施形態の仕切り部材３は、図１１ないし図１３に順を追って示すように、各折り線Ｂ８〜Ｂ１１を山折りすることにより、前記仕切り板６を他の部位で取り囲み、前記のり付け片１１を前記間隔保持板７の内面に当接させるとともにのり付けし、また、前記のり付け片９を前記間隔保持板８の外面に当接させるとともにのり付けし、ついで、前記両蓋板１０を前記折り線Ｂ８において山折りすることにより組み上げられる。
【００４８】
このようにして組み上げられた前記容器本体２と前記仕切り部材３は、この仕切り部材３を、図１４に矢印で示すように、前記容器本体２の前記仕切り部２ｆと前記裏面部２ｂとの間に形成された空間Ｇ２内に挿入した後に、前記両蓋部２ｅを閉じることによって、図１に示すように、包装容器１を得ることができる。
【００４９】
このようにして得られた本実施形態の包装容器１では、その容器本体２内に、前記仕切り部２ｆと前記仕切り部材３とによって、図２に示すように、多層状の空間Ｇ１・Ｇ２・Ｇ３を形成することができる。
【００５０】
すなわち、前記仕切り部２ｆと、前記仕切り部材３の前記仕切り板４および前記仕切り板６が、面と直交する方向に間隔をおいて保持され、これらの間に、前記空間Ｇ１・Ｇ２・Ｇ３が形成される。
【００５１】
そして、組み上げられた状態において、前記容器本体２の前記表面部２ａおよび前記裏面部２ｂは、その両縁部に連設されている前記側面部２ｃと前記連結部２ｄとの間隔が、前記仕切り部２ｆによって保持されていることにより、前記表裏面２ａ・２ｂの撓みが抑制される。
したがって、前記容器本体２の剛性が高められてその変形が抑制される。
【００５２】
また、前記仕切り部材３は、一つの仕切り板６を、前記間隔保持板７・８、前記のり付け片９、および、他の仕切り板４・５によって取り囲んで断面視において矩形状の剛な構造に組み上げられる。
【００５３】
そして、このような剛構造の前記仕切り部材３を内装することにより、前記容器本体２の剛性も高められる。
【００５４】
これによって、前記容器本体２内に区画形成される多層状の各空間Ｇ１・Ｇ２・Ｇ３の形状が崩れることを防止して、これらの空間部への物品の出し入れの容易性ならびに確実性を確保することができる。
【００５５】
また、前記容器本体２および前記仕切り部材３が剛な構造に組み上げられていることにより、この仕切り部材３を容器本体２内に組み込む際に、前記容器本体２や前記仕切り部材３の形崩れが抑制され、これによって、前記仕切り部材３の組み込み作業を容易なものとすることができる。
【００５６】
本実施形態においては、前記容器本体２の表面部２ａに開口Ｘ１を、前記仕切り部２ｆに開口Ｘ２を、また、前記仕切り部材３の前記仕切り板４に開口Ｘ３を形成してあり、これらの各開口Ｘ１・Ｘ２・Ｘ３は上下に間隔をおいて重畳させられている。
【００５７】
ここで、その開口面積をＸ１＞Ｘ２＞Ｘ３とすることにより、たとえば、上方の開口Ｘ１に物品を入れた場合、この開口Ｘ１の内周縁で物品の外周を支持し、前記開口Ｘ２の周縁部の面で前記物品の下部を支持することができる。
これによって、物品の安定した収納を可能にする。
【００５８】
図１５は、本発明の第２の実施形態を示すもので、前記容器本体２の表面部２ａに、前記仕切り部２ｆを露出させる窓１２を形成したものである。
【００５９】
このような構成とすることにより、前記窓１２を介して前記容器本体２の内部を覗いて内容物の確認をすることができる。
【００６０】
図１６は、本発明の第３の実施形態を示すもので、図１５に示す実施形態における前記表面部２ａの前記窓１２が形成される部位に、一部に不連続部を残して切れ目を入れることにより、前記窓１２を開閉する観音開きの扉１３を形成したものである。
【００６１】
これによって、前記扉１３の開閉動作による動的機能を容器本体２に付与して、包装容器１の付加価値を高めることができる。
【００６２】
図１７ないし図１９は、本発明の第４の実施形態を示すもので、前記開口Ｘ２・Ｘ３に、たとえば、人物や樹木等の輪郭を残して切り抜いて飾りＨ１・Ｈ２を形成したものである。
【００６３】
そして、前記包装容器１を組み上げた際に、図１９に示すように、前記装飾Ｈ１・Ｈ２が、前記容器本体２の内方へ向かう方向において所定間隔を有して重畳状態に配置される。
【００６４】
そして、この重畳状態にある前記各装飾Ｈ１・Ｈ２を、図１９に示すように、前記容器本体２に形成されている前記窓１２から立体的に視認することができる。
これによって、包装容器１の意匠性を高めることができる。
【００６５】
ここで、組み上げられた前記容器本体２や仕切り部材３の剛性が高められてその変形が抑制されていることにより、前記装飾Ｈ１・Ｈ２の変化も抑制され、その意匠的効果を維持することができる。
【００６６】
そして、前記窓１２は、図示しない透明フィルムによって覆うことが好ましい。
このような構成とすることにより、前記窓１２による意匠的効果を維持しつつ、異物等が前記容器本体２の内部へ侵入することを防止することができる。
【００６７】
なお。前記各実施形態において示した各構成部材の諸形状や寸法等は一例であって、包装容器の形状や設計要求等に基づき種々変更可能である。
【符号の説明】
【００６８】
１  包装容器
２  容器本体
２ａ  表面部
２ｂ  裏面部
２ｃ  側面部
２ｄ  連結部
２ｅ  蓋部
２ｆ  仕切り部
２ｇ  接続部
２ｈ  のり付け部
３  仕切り部材
４  仕切り板
５  仕切り板
６  仕切り板
７  間隔保持板
８  間隔保持板
９  のり付け片
１０  蓋片
１１  のり付け片
１２  窓
１３  扉
Ｂ１〜Ｂ１１  折り線
Ｇ（Ｇ１・Ｇ２・Ｇ３）  空間
Ｈ１・Ｈ２  飾り
Ｚ  開口
Ｘ１〜Ｘ３  開口
【図１】
2020019545.tif 000003
【図２】
2020019545.tif 000004
【図３】
2020019545.tif 000005
【図４】
2020019545.tif 000006
【図５】
2020019545.tif 000007
【図６】
2020019545.tif 000008
【図７】
2020019545.tif 000009
【図８】
2020019545.tif 000010
【図９】
2020019545.tif 000011
【図１０】
2020019545.tif 000012
【図１１】
2020019545.tif 000013
【図１２】
2020019545.tif 000014
【図１３】
2020019545.tif 000015
【図１４】
2020019545.tif 000016
【図１５】
2020019545.tif 000017
【図１６】
2020019545.tif 000018
【図１７】
2020019545.tif 000019
【図１８】
2020019545.tif 000020
【図１９】
2020019545.tif 000021